(57)【特許請求の範囲】
【請求項１】
ガスケット本体部と、ガスケット本体部の底部両側に形成されて、いずれか一方の沈埋函の端面に固定されるフランジ部とを具え、ガスケット本体部の上面を他方の沈埋函の端面に当接されるものであって、
ガスケット本体部の上面近傍部分に補強層を埋設してなる沈埋トンネル用ガスケット。
【請求項２】
前記補強層を、ガスケット本体部の上面とほぼ平行に埋設してなる請求項１記載の沈埋トンネル用ガスケット。
【請求項３】
前記補強層を、ガスケット本体部の幅方向に連続させて埋設してなる請求項２記載の沈埋トンネル用ガスケット。
【請求項４】
前記補強層を、ガスケット本体部の幅方向に間隔をおいて埋設してなる請求項２記載の沈埋トンネル用ガスケット。
【請求項５】
前記補強層を、ガスケット本体部の上面に沿わせて埋設するとともに、そのガスケット本体部の側面にも沿わせて埋設してなる請求項１記載の沈埋トンネル用ガスケット。
【発明の詳細な説明】
【０００１】
【産業上の利用分野】
この発明は、水底に設置される沈埋函相互の対向端面間に配設されて、沈埋函内への水の浸入を阻止すべく機能する沈埋トンネル用ガスケットに関するものであり、とくには、ガスケット自身の横倒れを防止して、止水機能を有効に向上させるものである。
【０００２】
【従来の技術】
従来のこの種のガスケットとしては、図６に横断面図で例示するものがある。これは、断面形状がほぼ台形をなすガスケット本体部Ｇｂの底部両側に、一方の沈埋函の端面に固定される、ともに等しい幅のそれぞれのフランジ部Ｆを一体形成し、そして、それらのフランジ部Ｆおよび、ガスケット本体部Ｇｂの底部のそれぞれを補強層Ｒによって補強し、また、そのガスケット本体部Ｇｂの上面中央部には、他方の沈埋函の端面に当接される山形突条Ｍを、そして、ガスケット本体部Ｇｂの底面中央部には、突条Ｐをそれぞれ一体的に形成することにより構成されている。
【０００３】
このような、沈埋トンネル用ガスケットは、地上で複数の沈埋函を製作し、それらを順次水底に沈設して水中で接合作業を行うに当り、新たに沈設される沈埋函の、既設沈埋函の端面と対向する一方の端面に、ガスケットのフランジ部Ｆを、ねじその他によって固定することにより使用に供される。このガスケットは、水中接合作業において、新設函を、ジャッキを用いて既設函に引き寄せて、ガスケットの山形突条Ｍを既設函端面に当接させることによって初期止水機能を発揮し、続いて、既設および新設の両函に設けた仮隔壁間の水をそこから排出して、それらの間を大気圧とし、新設函の仮隔壁に作用する静水圧をもって、その新設函を、既に仮固定されている既設函に向けて変位させて、そのガスケットを所期した通りに圧潰変形させることで、よりすぐれた止水機能を発揮する。
【０００４】
【発明が解決しようとする課題】
ところで、このようなトンネル用ガスケットは、両沈埋函を、静水圧によって接合するに当り、沈埋函の軸線方向の水圧の他、沈埋函の内側方向への水圧をも受けるため、そのガスケットが、図７に横断面図で例示するように、沈埋函の内側方向へ大きく剪断変形される、いわゆる横倒れ現象が発生し、これによって、ガスケットは、それの全体的な配設状態において、図８にその変形態様を略線正面図で示すように、各辺の中央部分で、埋設函の内側方向へとくに大きく撓み変形するとともに、ガスケットと既設沈埋函との接触条件の差異等に起因して、そのガスケットに、図８に部分拡大図で示すような部分的な蛇行が生じて、そのガスケットによる止水機能が大きく低下するという不都合があった。
【０００５】
またこの一方で、ガスケットは、それぞれの沈埋函の両端面間に挟み込まれることによって、圧潰変形の他に、軸線方向の伸長変形をも行うことになり、方形形状に配設されたそのガスケットは、各隅部において、隣接辺部分の伸長変形の影響を受けて、これも図８に示すように、沈埋函の外側方向への大きな横倒れ変形を生じ、甚だしくは沈埋函の外側へはみ出すことになるため、このことによってもまたガスケットの止水機能が低下するという問題があった。
しかも、ガスケットのこの伸長変形は、前述したガスケットの蛇行を一層助長することになるという不都合もあった。
【０００６】
この発明は、従来技術の有するこのような問題点を解決することを課題として検討した結果なされたものであり、この発明の目的は、ガスケットの、水圧による横倒れ変形、直接的には、それに起因する前記撓み変形および蛇行の他、ガスケットそれ自身の伸長変形に起因する隣接辺部分の横倒れ変形等を有効に阻止して、常にすぐれた止水機能を発揮させることができる沈埋トンネル用ガスケットを提供するにある。
【０００７】
【課題を解決するための手段】
この発明の、沈埋トンネル用ガスケットは、ガスケット本体部と、ガスケット本体部の底部両側に形成されて、いずれか一方の沈埋函の端面に固定されるフランジ部とを具え、ガスケット本体部の上面を他方の沈埋函の端面に当接されるものであって、ガスケット本体の上面近傍部分に、少なくとも一層の補強層を埋設したものである。
【０００８】
ここで好ましくは、補強層を、ガスケット本体部の上面とほぼ平行に埋設し、この場合、その補強層を、ガスケット本体部の幅方向に、連続させてもしくは間隔をおいて埋設する。
【０００９】
また好ましくは、補強層を、ガスケット本体部の上面に沿わせて埋設するとともに、そのガスケット本体部の側面にも沿わせて埋設する。
【００１０】
【作用】
このガスケットでは、補強コード層、補強帆布層などとすることができる補強層を、ガスケット本体の上面近傍部分に埋設して、フランジ部を沈埋函端面に固定したガスケットの、とくに上面近傍部分での撓み変形および蛇行を、補強層の高い耐張力の下にて阻止することにより、ガスケットの横倒れ変形、ひいては、それの止水機能の低下を、十分に防止することができる。
またここでは、補強層は、ガスケットの、軸線方向の伸長変形をも阻止すべく機能することから、ガスケットの各隅部における、沈埋函の外側方向へのそれの横倒れをもまた有効に防止することができるとともに、ガスケットの蛇行を一層有効に阻止することもでき、これらのことによって、ガスケットの止水機能をより大きく向上させることができる。
【００１１】
ここで、補強層は、ガスケット本体部の、撓み変形量、蛇行量等が最も大きくなる上面近傍部分にそれを埋設することで、その機能をより効果的に発揮することができる。
【００１２】
ところで、補強層を、ガスケット本体部の上面とほぼ平行に埋設したときには、ガスケットの撓み変形、蛇行等に対する拘束力を一層高めることができ、この場合、補強層を、ガスケット本体の幅方向に連続させて埋設することの他、ガスケットの幅方向に少なくとも一の間隔をおいて埋設することも可能である。
【００１３】
なおここにおいて、補強層を、ガスケット本体部の上面に沿わせて埋設するとともに、そのガスケット本体部の側面にも沿わせて埋設した場合には、ガスケットの撓み変形量、蛇行量および伸長変形量のそれぞれをより一層有効に阻止して、止水機能をさらに向上させることができる。
【００１４】
【実施例】
以下にこの発明の実施例を図面に基づいて説明する。
図１は、この発明の実施例を示す横断面図であり、図中１はガスケット本体部を示し、２は、そのガスケット本体部１の底部両側に張り出し形成されて、ともに等しい幅を有するそれぞれのフランジ部を示す。
【００１５】
ここでは、各フランジ部２を、そこから、ガスケット本体部１の底部にわたって埋設した帆布その他の補強層３によって補強し、そして、両フランジ部２のセンター位置で、ガスケット本体部１の底面に、図の下方へ突出して長さ方向に連続する一本の突条４を設ける。
【００１６】
またここでは、ガスケット本体部１の両側面１ａを、フランジ部２から離れるにつれて次第に先細りとなるテーパ面とし、そしてそれの、図では平坦面とした上面１ｂに、これもまた長さ方向に連続して延びる一本の山形突条５を設け、この山形突条５のセンター位置を、突条４のセンター位置に一致させる。
【００１７】
なおここで、ガスケット本体部１の上面形状は、それの幅方向の中央部に向けて高さが次第に高くなる傾斜面、曲面、ステップ面などとすることもでき、また、ガスケット本体部１の底面中央部に、前記突条４に代えて、他の二条の突条に挟まれて位置する条溝もしくは、ガスケット本体部１の底部を抉ってなる条溝を設けることもできる。
【００１８】
さらにこの例では、ガスケット本体部１に、それの上面１ｂとほぼ平行に補強層６を埋設して、この補強層６を、山形突条５と対応する位置で、幾分の間隔をおいて位置させ、これにより、その山形突条部分の、ガスケット本体部側への大きな圧縮変形を可能ならしめる。
【００１９】
これに対し、図２に示す実施例は、ガスケット本体部１の上面１ｂとほぼ平行に埋設した補強層６を、ガスケット本体部１の幅方向に、それのほぼ全幅にわたって連続させて埋設したものである。
【００２０】
ところで、これらの実施例の補強層６は、図３（ａ），（ｂ）に示すように、ガスケット本体部１の長さ方向もしくは幅方向に延在する、ポリエステルその他の合成樹脂補強コード層により形成することができる他、図３（ｃ），（ｄ）に示すように、合成樹脂コードをガスケット本体部１の長さ方向および幅方向の両方向に、またはバイアスに延在させた補強織布層により形成することもできる。
【００２１】
以上のように構成してなる沈埋トンネル用ガスケットは、従来技術で述べたと同様、相互に接合される沈埋函の一方の端面に、それのそれぞれのフランジ部２を、ねじその他によって固定することにより使用に供することができ、このガスケットは、それを沈埋函の端面間に挟み込んだ状態で、そこに外部水圧が作用した場合に、補強層６の耐張作用に基づいて、そこへの撓み変形、蛇行等の発生、ひいては、横倒れの発生を有効に防止することができる。またこのガスケットでは、それが沈埋函の端面間に挟まれて圧潰変形されるに際し、伸長方向の変形が補強層６にて有効に阻止されることから、ガスケットの各隅部が、隣接辺部分の伸長変形の影響を受けて沈埋函の外側方向へ大きく横倒れ変形されるおそれを十分に取り除くことができるとともに、ガスケットへの蛇行の発生をより効果的に防止することができる。
【００２２】
図４は、配設形状がほぼ長方形をなすガスケットの、長辺側の中央部分および隅部のそれぞれにおける横倒れ量をガスケットの高さ比との関連にて示すグラフであり、ここで、横倒れ量は、ガスケット本体部１の高さ（Ｃ）に対する剪断変形量（δ）の比で表わし、また、ガスケットの高さ比は、ガスケット本体部１の底部幅（Ｂ）に対するガスケット本体部１の高さ（Ｃ）の比で表わす。
【００２３】
図示のグラフによれば、隅部および辺中央部の横倒れ量はいずれも、ゴム硬度が低くなり、また、ガスケットの高さ比が大きくなるにつれて次第に増加することになるも、図３（Ｃ）に示すようなポリエステルコード製の織布補強層６を、図２に示すように、ガスケット本体部１の上面１ｂとほぼ平行に、それのほぼ全幅にわたって連続させて埋設した場合には、ガスケットの高さ比が１．２のときの横倒れ量は、ゴム硬度が５０°のガスケットの隅部では、図に□で示す量まで、また、辺中央部では、図に○で示す量までそれぞれ低下し、隅部における横倒れ量の低減率は約７５％、辺中央部でのそれは約２０％となった。
【００２４】
従って、このグラフに示されるとろによってもまた、発明にかかるガスケットでは、それの横倒れを有効に阻止して、ガスケットの止水機能を大きく向上させ得ることが解かる。
【００２５】
図５は他の実施例を示す断面図であり、これは、補強層６を、ガスケット本体部１の上面１ｂに沿わせて埋設するとともに、そのガスケット本体部１の側面１ａにも沿わせて、ガスケット本体部１の上部に埋設したものである。ここで、上面１ｂと平行をなす補強層部分は、図示のように、ガスケット本体部１の幅方向に間隔をおく構成とする他、その幅方向に連続する構成とすることもできる。
【００２６】
この例によれば、補強層６により、ガスケットの蛇行がより効果的に防止されるとともに、ガスケットの伸長変形もまた一層有効に防止されることになるので、そのガスケットの横倒れを十分に阻止して止水機能をさらに向上させることができる。
【００２７】
以上この発明を図示例に基づいて説明したが、補強層３，６の層数は所要に応じて適宜に増加させることができる。
また、ガスケットそれ自体の形状を種々に変更することもでき、たとえば、側面を、垂直面とすること、外側へ凸となる曲面等とすることの他、底面突条および、上面の山形突条の少なくとも一方を省くことも可能である。
【００２８】
【発明の効果】
かくして、この発明によれば、ガスケット本体部の上面近傍部分に補強層を埋設することにより、沈埋函間に挟み込んだガスケットが外部水圧を受けた場合のそれの横倒れおよび、沈埋函間に挟持したガスケットの伸長に起因するそれの横倒れのそれぞれをともに有効に防止して、ガスケットの止水機能を、大きく向上させることができる。
【図面の簡単な説明】
【図１】この発明の実施例を示す横断面図である。
【図２】この発明の他の実施例を示す横断面図である。
【図３】補強層のコードの延在方向を例示する略線平面図である。
【図４】横倒れ量の低減例を示すグラフである。
【図５】この発明のさらに他の例を示す横断面図である。
【図６】従来例を示す横断面図である。
【図７】従来のガスケットの横倒れ変形状態を示す横断面図である。
【図８】従来のガスケットの変形態様を例示する略線正面図である。
【符号の説明】
１  ガスケット本体部
１ａ  側面
１ｂ  上面
２  フランジ部
３  補強層
４  突条
５  山形突条
６  補強層
【図１】
0003590128.tif 000002
【図２】
0003590128.tif 000003
【図３】
0003590128.tif 000004
【図４】
0003590128.tif 000005
【図５】
0003590128.tif 000006
【図６】
0003590128.tif 000007
【図７】
0003590128.tif 000008
【図８】
0003590128.tif 000009